(57)【要約】      （修正有）【課題】既存のフルコーラス尺のカラオケによって生じていた同席者、或いは歌唱者当人のストレスや尻切れ感、及び端末操作による早送り等の煩瑣な手間を解消する。【解決手段】カラオケ楽曲音声及び歌詞表示付き画像データを配信するホストサーバーと、前記楽曲音声及び歌詞表示付き画像データを受信し再生する端末機器と、を含むカラオケ配信システムであって、ホストサーバーにはフルコーラス尺の楽曲音声及び画像データと、フルコーラス尺楽曲を短尺加工した、短尺楽曲音声及び画像データの双方を貯蔵し、カラオケ再生端末付帯機器によってフルコーラス尺楽曲音声及び画像データか、短尺加工楽曲音声及び画像データの何れかを選択して要求する入力手段を備える。ホストサーバーは、端末機器からの要求に応じて、フルコーラス尺楽曲音声及び画像データか、短尺楽曲音声及び画像データかを選択的に配信する。【選択図】図１
2020149028.tif 000002
【特許請求の範囲】
【請求項１】
カラオケ楽曲音声、及び歌詞表示付き画像データを配信するホストサーバーと、前記楽曲音声、及び歌詞表示付き画像データを受信し、再生する端末機器を含むカラオケ配信システムであって、前記ホストサーバーにはフルコーラス尺の楽曲音声、及び画像データと、前記フルコーラス尺楽曲を短尺加工した、短尺楽曲音声、及び画像データの双方を貯蔵し、前記カラオケ再生端末付帯機器によって前記フルコーラス尺楽曲音声、及び画像データと、前記短尺加工楽曲音声、及び画像データの何れかを選択し、前記ホストサーバーに要求する入力手段を備え、前記ホストサーバーは、前記端末機器からの要求に応じて、前記フルコーラス尺楽曲音声、及び画像データか、前記短尺楽曲音声、及び画像データかを選択的に配信することを特徴とするカラオケ配信システム。
【請求項２】
前記短尺加工楽曲音声、及び画像データは楽曲の意コーラス目、及びサビの部分を最低限含むことを特徴とし、楽曲に応じて２コーラス目、３コーラス目を削除し、また、楽曲によっては前奏、あるいは間奏、終奏（エンディング）部分を適宜、短尺化した楽曲音声、及び画像データを備えることを特徴とする請求項１記載のカラオケ配信システム。
【発明の詳細な説明】
【技術分野】
【０００１】  本発明は既存の長尺（フルコーラス）の楽曲音声、及び歌詞付き画像データを編集・加工した短尺（１コーラス目＋サビ、または、１コーラス目＋Ｃメロ＋サビ等）楽曲音声、及び歌詞付き画像データとして、ホストサーバーに追加・蓄積し、利用者が任意に長尺・短尺の何れかを選択し、再生し得るカラオケ配信システムである。
【背景技術】
【０００２】  既存のカラオケ楽曲は全てオリジナル楽曲と同じ演奏時間の長尺のものであり、楽曲選択した者、あるいは同席している周囲の者が期待し得るレベルの歌唱を為し得なかった場合等では、端末操作により演奏を中断する他なく、フルコーラス歌唱が持ち得る音楽的完結感を感得し得ず、カラオケが本来的に備えている娯楽性・遊興性を大いに損傷させていた。また、あまりにも長い楽曲作品や、一般大衆がカラオケで歌唱するには長過ぎる間奏部分の楽曲再生においては、音声、及び歌詞付き画像データを端末機器操作で早送りする等の煩瑣な手間を伴い、加えて、楽曲が本来、備えている音楽作品としての完成度を損傷させてもいた。
【先行技術文献】
【特許文献】
【０００３】
【特許文献１】公開特許公報  特開１９９６−１８６６６６
【特許文献２】公開特許公報  特開１９９７−０９１３４８
【特許文献３】公開特許公報  特開１９９９−２７５２６８
【発明の概要】
【発明が解決しようとする課題】
【０００４】  カラオケは日本の誇るサブカルチャー的娯楽の代表であり、市場規模も景気低迷の昨今においても尚、縮小することなく安定を維持している。加えて、今後、中国や韓国・台湾などアジア近隣諸国をはじめ、西欧地域におけるアニメーション文化の浸透などとの相乗からも、今後の市場拡大が期待される産業領域である。しかしながら、既存のカラオケ楽曲は全てプロのアーチストのオリジナル楽曲と同じ長尺であり、基本、素人である一般大衆の歌唱においては、聴いている者の退屈感や、極端に歌唱力を欠く者の歌唱においては苦痛さえ伴いかねないものであり、また、当の歌唱する本人も、楽曲によってはフルコーラス尺の歌唱に退屈さ、間延び感を感じるものに止まってた。本発明はこの退屈さ、間延び感、あるいは同席者の苦痛等のストレスを大いに軽減することに加え、短時間でより多くの楽曲を楽しむことが可能なシステムを構築する。
【課題を解決するための手段】
【０００５】  前記の課題はカラオケ配信提供各社所蔵のカラオケ楽曲音声、及び歌詞表示付き画像データ、または新たに追加されるカラオケ楽曲音声、及び歌詞表示付き画像データを、図３、図４のように前奏、及び１コーラス目とサビを含むことを基本とし、また、楽曲によってはそれに展開部（通称Ｃメロ）を加えながら、２コーラス目、及び３コーラス目を取り除き、また、楽曲によっては間奏部分あるいは終奏部分の楽曲音声、画像再生時間を短縮化することで、楽曲音声データ再生時間、及び歌詞表示付き画像データ再生時間を短尺化した楽曲音声・画像データをカラオケ配信ホストサーバーに蓄積し、配信可能にすることに加え、カラオケ利用者がカラオケ再生機器設置の各施設において、カラオケ楽曲選択・入力端末で、カラオケ利用者が従来のフルコーラス尺楽曲データ再生か、短縮尺楽曲データ再生かを選択し、当該選択楽曲を各施設配置機器を通じて、ホストサーバーに要求し、それに相当する楽曲の音声、及び歌詞付き画像データを各施設配置機器において再生可能にしたシステムを構築することで解決される。
【発明の効果】
【０００６】  フルコーラスではなく、短めに構成されたカラオケ楽曲データを利用者が選択可能になることで、歌唱者の力量に相応しくない楽曲、または、歌唱者の嗜好に即さない楽曲のフルコーラス歌唱で生じていた同席者、及び歌唱者のストレスが大幅に軽減される。また、意に反した楽曲や期待したレベルの歌唱が得られなかった際に、楽曲を演奏途中で停止する尻切れ感を抱くことや、楽曲によっては楽曲の歌唱部分の一部（２コーラス目以降）や長大な間奏部分を、カラオケ操作端末で早送りする煩瑣な手間からも解放される。加えて、限られた時間の中で、カラオケ利用者が、より多くの楽曲を歌唱し、楽しむことも可能になる。結果として、カラオケの新たな利用形態が確立され、従来以上の顧客獲得にも繋がり、産業規模拡大が期待される。
【図面の簡単な説明】
【０００７】
【図１】本発明のカラオケ配信システム全体の構造図である。
【図２】本発明において楽曲の長尺（フルコーラス）、短尺を選択するタッチパネル部を追加した楽曲選択端末（通称  デンモク）の表示イメージ図である
【図３】既存のフルコーラス楽曲データと本発明で追加される短尺楽曲データの楽曲構成上の相違を示す図である。
【図４】既存の楽曲データのどこを切り取って短尺加工するかの歌詞例である。
【発明を実施するための形態】
【０００８】  本発明のホストサーバーには図１で示す通り、既存のフルコーラス尺楽曲音声、及び歌詞付き画像データ１０と、前記楽曲、及び歌詞付き画像データを加工・編集し、短尺化した楽曲音声、歌詞付き画像データ１１を蓄積する。歌唱楽曲選択端末６には、タッチパネル式の楽曲選択機能８、９を機能付帯させ、これにより利用者はフルコーラス尺楽曲音声、及び歌詞付き画像データ１０再生か、短尺化した楽曲音声、歌詞付き画像データ１１の再生の何れかを選択できる。ホストサーバーはカラオケ楽曲選択端末６から要求された楽曲を選択し、各施設配置のカラオケ再生機器に送信し、画像再生モニター５、及びスピーカーを通じて、当該楽曲音声、及び歌詞付き画像データを再生する。
【０００９】  楽曲音声データの編集・加工の要領としては、既存のフルコーラス楽曲データの１コーラス目最終小節を、２コーラス目最終小節に重ね、サビに繋げることで、楽曲の２コーラス目、３コーラス目等を削除する。また、楽曲によっては、それに続く間奏部分も短縮化（例  ８小節→４小節）し、Ｃメロ展開部、あるいはサビの繰り返し部分に繋げる。楽曲音声の短尺化データ作成に併せて、当該楽曲音声再生時間相当の歌詞付き画像データを作成する。
【００１０】  本発明における短尺化楽曲音声、及び歌詞付き画像データを「津軽海峡冬景色（唄  石川さゆり）」を例に上げて説明する、フルコーラス尺で３分４３秒の当該楽曲を、１コーラス目と２コーラス目の間奏２０秒、及び、２コーラス目の５３秒、また、２コーラス目後の間奏１１秒をカットすることで、計１分２１秒を短縮した、都合、２分２２秒の短尺カラオケを新たに作成し、ホストサーバーに蓄積。配信可能にする。
【００１１】  本発明にける短尺化楽曲音声、及び歌詞付き画像データをＤＲＥＡＭＳ  ＣＯＭＥ  ＴＲＵＥの「未来予想図ＩＩ」を例に上げて説明する、フルコーラスで７分２５秒の長尺の当該楽曲の２コーラス目をカットすることで、２分１７秒を短縮。加えて、３４〜３６小節（フェードアウトのため概数値）、時間にして１分４２〜４８秒にも及ぶ終奏（２コーラス目後の非歌唱部分）を６小節程度に短縮化することで、更に１分３０秒前後の時間を短縮。都合、時間にして３分２５秒前後の短尺で、ＤＲＥＡＭＳ  ＣＯＭＥ  ＴＲＵＥの「未来予想図ＩＩ」を歌唱し、楽しむことが出来る楽曲音声、及び歌詞付き画像データを作成し、ホストサーバーに蓄積。配信可能にする。
【符号の説明】
【００１２】  １  楽曲、及び歌詞付き画像データ編集・短尺加工
２  新規追加分楽曲、及び歌詞付き画像データ
３  実線…楽曲、及び歌詞付き画像データ配信
４  点線…選択楽曲配信要求
５  歌詞付き画像再生モニター
６  楽曲選択端末機器（通称  デンモク）
７  楽曲選択端末機器  楽曲選択画面
８  フルコーラス尺楽曲音声、画像再生選択タッチパネル
９  短尺楽曲音声、画像再生選択タッチパネル
１０  フルコーラス尺楽曲基本構成
１１  短尺化楽曲基本構成
１２  楽曲削除部分例
【図１】
2020149028.tif 000003
【図２】
2020149028.tif 000004
【図３】
2020149028.tif 000005
【図４】
2020149028.tif 000006
【手続補正書】
【提出日】令和1年6月20日(2019.6.20)
【手続補正１】
【補正対象書類名】特許請求の範囲
【補正対象項目名】請求項２
【補正方法】変更
【補正の内容】
【請求項２】
前記短尺加工楽曲音声、及び画像データは楽曲の１コーラス目、及びサビの部分を最低限含むことを特徴とし、楽曲に応じて２コーラス目、３コーラス目を削除し、また、楽曲によっては前奏、あるいは間奏、終奏（エンディング）部分を適宜、短尺化した楽曲音声、及び画像データを備えることを特徴とする請求項１記載のカラオケ配信システム。
【手続補正２】
【補正対象書類名】明細書
【補正対象項目名】０００７
【補正方法】変更
【補正の内容】
【０００７】
【図１】本発明のカラオケ配信システム全体の構造図である。
【図２】本発明において楽曲の長尺（フルコーラス）、短尺を選択するタッチパネル部を追加した楽曲選択端末の表示イメージ図である
【図３】既存のフルコーラス楽曲データと本発明で追加される短尺楽曲データの楽曲構成上の相違を示す図である。
【図４】既存の楽曲データのどこを切り取って短尺加工するかの歌詞例である。
【手続補正３】
【補正対象書類名】明細書
【補正対象項目名】００１２
【補正方法】変更
【補正の内容】
【００１２】  １  楽曲、及び歌詞付き画像データ編集・短尺加工
２  新規追加分楽曲、及び歌詞付き画像データ
３  実線…楽曲、及び歌詞付き画像データ配信
４  点線…選択楽曲配信要求
５  歌詞付き画像再生モニター
６  楽曲選択端末機器
７  楽曲選択端末機器  楽曲選択画面
８  フルコーラス尺楽曲音声、画像再生選択タッチパネル
９  短尺楽曲音声、画像再生選択タッチパネル
１０  フルコーラス尺楽曲基本構成
１１  短尺化楽曲基本構成
１２  楽曲削除部分例
【手続補正４】
【補正対象書類名】図面
【補正対象項目名】図２
【補正方法】変更
【補正の内容】
【図２】
2020149028.tif 000007